(57)【要約】  【課題】  画像信号になんら信号処理を施すことなく、光過敏性発作を発生する虞のあるシーン（画像）に対してバックライトの輝度を調整して、光過敏性発作を未然に防止する液晶表示装置を提供する。  【解決手段】  テレビ放送信号、DVD／VTRソフトの画像信号に、光過敏性発作を誘起させるシーン（画像）の光過敏性存在情報を予め付加しておき、光過敏性存在情報を検出する検出手段と、検出手段が検出した検出信号に基づいて調光制御信号を出力する表示制御手段と、表示制御手段から供給される調光制御信号に基づいてバックライトユニットの調光を実行する調光手段を備える。【選択図】  図１
2008301150.tif 000002
【特許請求の範囲】
【請求項１】
テレビ放送信号、DVD／VTRソフトの画像信号を液晶パネルに表示する映像表示装置において、
前記テレビ放送信号、DVD／VTRソフトの画像信号に、光過敏性発作を誘起させる虞のあるシーン（画像）が存在することを検出する検出手段と、前記検出手段が検出した検出信号に基づいて調光制御信号を出力する表示制御手段と、前記表示制御手段から供給される調光制御信号に基づいてバックライトユニットの調光を実行する調光手段と、を備えたことを特徴とする映像表示装置。
【請求項２】
テレビ放送信号、DVD／VTRソフトの画像信号を液晶パネルに表示する映像表示装置において、
前記テレビ放送信号、DVD／VTRソフトの画像信号に、光過敏性発作を誘起させるシーン（画像）の光過敏性存在情報を予め付加しておき、前記光過敏性存在情報を検出する検出手段と、前記検出手段が検出した光過敏性存在情報に基づいて調光制御信号を出力する表示制御手段と、前記表示制御手段から供給される調光制御信号に基づいてバックライトユニットの調光を実行する調光手段と、を備えたことを特徴とする映像表示装置。
【請求項３】
前記光過敏性存在情報は、フレーム信号の垂直同期ブランキング期間に付加することを特徴とする請求項２記載の映像表示装置。
【請求項４】
前記垂直同期ブランキング期間は、前記光過敏性発作を誘起させるシーン（画像）のフレーム信号よりも時間的に前とすることを特徴とする請求項３記載の映像表示装置。
【請求項５】
テレビ放送信号、DVD／VTRソフトの画像信号を液晶パネルに表示する映像表示装置において、
前記テレビ放送信号、DVD／VTRソフトの画像信号を一時記憶する記憶手段と、前記記憶手段が一時記憶した画像信号を所定時間だけ遅延して出力する遅延手段と、前記記憶手段が一時記憶した画像信号から前記所定時間内に、光過敏性発作を誘起させるシーン（画像）を検出し、検出信号を出力する検出手段と、前記検出手段から供給される検出信号に基づいて調光制御信号を出力する表示制御手段と、前記表示制御手段から供給される調光制御信号に基づいてバックライトユニットの調光を実行する調光手段と、を備えたことを特徴とする映像表示装置。
【請求項６】
前記表示制御手段は、前記調光手段が調光中であることを通知する通知情報を表示器に提供することを特徴とする請求項１、請求項２又は請求項５のいずれか一項に記載の映像表示装置。
【請求項７】
前記表示制御手段は、外部入力手段にて設定される制限情報に基づいて調光制御信号の出力を制限することを特徴とする請求項１、請求項２又は請求項５のいずれか一項に記載の映像表示装置。
【請求項８】
前記制限情報は、番組名、ソフト名であることを特徴とする請求項７記載の映像表示装置。
【請求項９】
前記制限情報は、視聴者の年令であることを特徴とする請求項７記載の映像表示装置。
【請求項１０】
前記光過敏性発作を誘起させるシーン（画像）とは、所定周波数を超える光の点滅のシーン（画像）であることを特徴とする請求項１、請求項２又は請求項５のいずれか一項に記載の映像表示装置。
【請求項１１】
前記光過敏性発作を誘起させるシーン（画像）とは、所定周波数を超える急激なカットチェンジや急速に変化するシーン（画像）であることを特徴とする請求項１、請求項２又は請求項５記載の映像表示装置。
【請求項１２】
前記光過敏性発作を誘起させるシーン（画像）とは、赤色を単色で使用した点滅やカットチェンジのシーン（画像）であることを特徴とする請求項１、請求項２又は請求項５のいずれか一項に記載の映像表示装置。
【請求項１３】
前記光過敏性発作を誘起させるシーン（画像）とは、輝度差のある規則的なパターン（縞模様・渦巻き等）のシーン（画像）であることを特徴とする請求項１、請求項２又は請求項５のいずれか一項に記載の映像表示装置。
【請求項１４】
テレビ放送信号、DVD／VTRソフトの画像信号を液晶パネルに表示する映像表示装置の画像表示方法において、
前記テレビ放送信号、DVD／VTRソフトの画像信号に、光過敏性発作を誘起させる虞のあるシーン（画像）が存在することを検出する検出工程と、
前記検出工程で検出した検出信号に基づいて調光制御信号を出力する表示制御工程と、
前記表示制御工程から供給される調光制御信号に基づいてバックライトユニットの調光を実行する調光工程と、
を備えたことを特徴とする映像表示装置の画像表示方法。
【請求項１５】
テレビ放送信号、DVD／VTRソフトの画像信号を液晶パネルに表示する映像表示装置の画像表示方法において、
前記テレビ放送信号、DVD／VTRソフトの画像信号に、光過敏性発作を誘起させるシーン（画像）の検出信号を予め付加しておき、前記検出信号を検出する検出工程と、
前記検出工程で検出した検出信号に基づいて調光制御信号を出力する表示制御工程と、
前記表示制御工程から供給される調光制御信号に基づいてバックライトユニットの調光を実行する調光工程と、
を備えたことを特徴とする映像表示装置の画像表示方法。
【請求項１６】
テレビ放送信号、DVD／VTRソフトの画像信号を液晶パネルに表示する映像表示装置の画像表示方法において、
前記テレビ放送信号、DVD／VTRソフトの画像信号を一時記憶する記憶工程と、
前記記憶工程で一時記憶した画像信号を所定時間だけ遅延して出力する遅延工程と、
前記記憶工程で一時記憶した画像信号から前記所定時間内に、光過敏性発作を誘起させるシーン（画像）を検出し、検出信号を出力する検出工程と、
前記検出工程から供給される検出信号に基づいて調光制御信号を出力する表示制御工程と、前記表示制御工程から供給される調光制御信号に基づいてバックライトユニットの調光を実行する調光工程と、
を備えたことを特徴とする映像表示装置の画像表示方法。
【発明の詳細な説明】
【技術分野】
【０００１】
本発明は、視聴者から光過敏性発作の誘発を防止する映像表示装置に係り、特に光過敏性発作を誘起する虞のあるシーン（画像）をバックライトの輝度を低下させることによって、未然に防止する映像表示装置に関する。
【背景技術】
【０００２】
アニメ等の画像におけるフラッシュ等の映像効果によって、視聴者に及ぼす光過敏性発作の影響が唱えられ、1／3秒に1回以下の点滅であれば、番組から生ずる光過敏性発作の危険性は約97％削減する等の検討がなされている。
【０００３】
また、視聴者の光過敏性発作（例えば、テンカン性発作や異常発作等）に対処するため、放送業界側から光過敏性発作を誘起する虞のある映像効果を自粛するガイドラインが開示されている状況にある。
【０００４】
さらに、従来の画像表示装置は、特許文献１に開示されているように、映像情報が光過敏性発作を誘起する虞があると判断する判断回路と、判断回路が光過敏性発作を誘起する虞のある映像情報であると判断した場合、視聴者の見る画像による刺激が少なくなるように画像の表示を制御する表示制御手段とが備えられている。
【０００５】
判断回路が光過敏性発作を誘起させる虞のあると判断する映像情報には、フリッカー周波数、色、輝度、規則的なパターン、ゆれ、回転、ブレなどがある。
【０００６】
また、表示制御手段は、判断回路が判断したフリッカー周波数、色、輝度、規則的なパターン、ゆれ、回転、ブレなどの映像情報に基づいてフリッカー周波数、色、輝度、規則的なパターン、ゆれ、回転、ブレなどの映像情報が光過敏性発作を誘起させないように、映像情報に加工や補正などを施して画像を表示させる。
【０００７】
【特許文献１】特開２００６−２４６１３８号公報（特許請求の範囲、図１参照）
【発明の開示】
【発明が解決しようとする課題】
【０００８】
特許文献１に記載された画像表示装置は、光過敏性発作を誘起させる虞のある画像信号に対して、信号処理による輝度、コントラストなどの変更や補正を施す必要があり、信号処理に伴う処理時間や処理規模が増大する課題がある。
【０００９】
また、信号処理を行うことにより、番組制作者の意図した映像効果を変更することになるため、著作権に抵触する虞が発生するケースもあり得る。
【００１０】
この発明はこのような課題を解決するためになされたもので、その目的は画像信号になんら信号処理を施すことなく、光過敏性発作を発生する虞のあるシーン（画像）に対してバックライトの輝度を調整して、光過敏性発作を未然に防止する液晶表示装置を提供することにある。
【課題を解決するための手段】
【００１１】
前記課題を解決するためこの発明に係る映像表示装置は、テレビ放送信号、DVD／VTRソフトの画像信号を液晶パネルに表示する液晶表示装置において、テレビ放送信号、DVD／VTRソフトの画像信号に、光過敏性発作を誘起させる虞のあるシーン（画像）が存在することを検出する検出手段と、検出手段が検出した検出信号に基づいて調光制御信号を出力する表示制御手段と、表示制御手段から供給される調光制御信号に基づいてバックライトユニットの調光を実行する調光手段とを備えたことを特徴とする。
また、前記課題を解決するためこの発明に係る映像表示装置は、テレビ放送信号、DVD／VTRソフトの画像信号を液晶パネルに表示する映像表示装置において、テレビ放送信号、DVD／VTRソフトの画像信号に、光過敏性発作を誘起させるシーン（画像）の光過敏性存在情報を予め付加しておき、光過敏性存在情報を検出する検出手段と、検出手段が検出した光過敏性存在情報に基づいて調光制御信号を出力する表示制御手段と、表示制御手段から供給される調光制御信号に基づいてバックライトユニットの調光を実行する調光手段を備えたことを特徴とする。
さらに、この発明に係る光過敏性存在情報は、フレーム信号の垂直同期ブランキング期間に付加することを特徴とする。
また、この発明に係る垂直同期ブランキング期間は、光過敏性発作を誘起させるシーン（画像）のフレーム信号よりも時間的に前とすることを特徴とする。
さらに、この発明に係る映像表示装置は、テレビ放送信号、DVD／VTRソフトの画像信号を液晶パネルに表示する映像表示装置において、テレビ放送信号、DVD／VTRソフトの画像信号を一時記憶する記憶手段と、記憶手段が一時記憶した画像信号を所定時間だけ遅延して出力する遅延手段と、記憶手段が一時記憶した画像信号から所定時間内に、光過敏性発作を誘起させるシーン（画像）を検出し、検出信号を出力する検出手段と、検出手段から供給される検出信号に基づいて調光制御信号を出力する表示制御手段と、表示制御手段から供給される調光制御信号に基づいてバックライトユニットの調光を実行する調光手段を備えたことを特徴とする。
また、この発明に係る表示制御手段は、調光手段が調光中であることを通知する通知情報を表示器に提供することを特徴とする。
さらに、この発明に係る表示制御手段は、外部入力手段にて設定される制限情報に基づいて調光制御信号の出力を制限すること特徴とし、その制限情報は、番組名やソフト名や視聴者の年令であることを特徴とする。
また、この発明に係る光過敏性発作を誘起させるシーン（画像）は、所定周波数を超える光の点滅のシーン（画像）や、所定周波数を超える急激なカットチェンジや急速に変化するシーン（画像）や、赤色を単色で使用した点滅やカットチェンジのシーン（画像）や、輝度差のある規則的なパターン（縞模様・渦巻き等）のシーン（画像）であることを特徴とする。
さらに、この発明に係る映像表示装置の画像表示方法は、テレビ放送信号、DVD／VTRソフトの画像信号を液晶パネルに表示する映像表示装置の画像表示方法において、テレビ放送信号、DVD／VTRソフトの画像信号に、光過敏性発作を誘起させる虞のあるシーン（画像）が存在することを検出する検出工程と、検出工程で検出した検出信号に基づいて調光制御信号を出力する表示制御工程と、表示制御工程から供給される調光制御信号に基づいてバックライトユニットの調光を実行する調光工程と、を備えたことを特徴とする。
また、この発明に係る映像表示装置の画像表示方法は、テレビ放送信号、DVD／VTRソフトの画像信号を液晶パネルに表示する映像表示装置の画像表示方法において、テレビ放送信号、DVD／VTRソフトの画像信号に、光過敏性発作を誘起させるシーン（画像）の検出信号を予め付加しておき、検出信号を検出する検出工程と、検出工程で検出した検出信号に基づいて調光制御信号を出力する表示制御工程と、表示制御工程から供給される調光制御信号に基づいてバックライトユニットの調光を実行する調光工程とを備えたことを特徴とする。
さらに、この発明に係る液晶表示装置の画像表示方法は、テレビ放送信号、DVD／VTRソフトの画像信号を液晶パネルに表示する液晶表示装置の画像表示方法において、テレビ放送信号、DVD／VTRソフトの画像信号を一時記憶する記憶工程と、記憶工程で一時記憶した画像信号を所定時間だけ遅延して出力する遅延工程と、記憶工程で一時記憶した画像信号から前記所定時間内に、光過敏性発作を誘起させるシーン（画像）を検出し、検出信号を出力する検出工程と、検出工程から供給される検出信号に基づいて調光制御信号を出力する表示制御工程と、表示制御工程から供給される調光制御信号に基づいてバックライトユニットの調光を実行する調光工程とを備えたことを特徴とする。
【発明の効果】
【００１２】
本発明によれば、テレビ放送信号、DVD／VTRソフトの画像信号に、光過敏性発作を誘起させる可能性のあるシーン（画像）が有ることを検出したとき、調光手段がバックライトユニットの明るさを制御するので、液晶パネルに光過敏性発作を誘起させるシーン（画像）が表示されたときにバックライトユニットの輝度を低下させることができ、光過敏性発作を誘起させるシーン（画像）をなんら変更することなく、視聴者への光過敏性発作の影響を未然に防止することができる。
【発明を実施するための最良の形態】
【００１３】
以下、本発明の実施の形態を添付図面に基づいて説明する。なお、本実施の形態においては、液晶表示装置について説明する。
【００１４】
まず、第１実施の形態について説明する。図１はこの発明に係る映像表示装置の第１実施の形態要部ブロック構成図である。図１において、液晶表示装置１は、ＴＶ放送のテレビ信号や外部機器１２からのＤＶＤ／ＶＴＲソフトの画像信号や音声信号や付加情報を取り込む情報入力手段２と、情報入力手段２から供給されるテレビ信号やＤＶＤ／ＶＴＲソフトの画像信号に画像処理を施す画像処理手段３と、テレビ信号やＤＶＤ／ＶＴＲソフトの画像信号から光過敏性発作を誘起させる虞のあるシーン（画像）が存在することを示す光過敏性存在情報を検出する検出手段４と、装置全体の制御を行うＣＰＵブロック１８を備えている。
【００１５】
画像処理手段３は、情報入力手段２から供給される情報から画像信号を抽出し、画像信号に対して画像処理を施すが、光過敏性発作を誘起させる虞のあるシーン（画像）には、なんら変更や補正をすることなく、リアルタイムでパネル制御手段７に提供する。
【００１６】
検出手段４が検出する光過敏性存在情報は、テレビ信号やＤＶＤ／ＶＴＲソフトの画像信号から光過敏性発作を誘起させる虞のあるシーン（画像）の存在を示すものであり、後述する放送業界側から開示されている光過敏性発作を誘起させる虞のある映像効果を自粛するガイドライン等を遵守して設定された情報である。
【００１７】
また、光過敏性存在情報は、テレビ信号の番組情報やＤＶＤ／ＶＴＲソフトのコンテンツ情報等の付加情報として供給されたり、画像信号に予め付加（挿入）される情報である。
【００１８】
また、液晶表示装置１は、検出手段４が検出した光過敏性存在情報に基づいてＣＰＵブロック１８の指示により調光制御信号を出力する表示制御手段５と、表示制御手段５から供給される調光制御信号に基づいてバックライトユニット８の調光を実行する調光手段６と、画像処理手段３から提供される画像信号を液晶パネル９に適切に表示するための制御を行うパネル制御手段７と、調光手段６で調光された明るさ（輝度）で点灯するバックライトユニット８とを備えている。
【００１９】
なお、調光手段６は、出力電力の可変機能を有するインバータで、バックライトユニット８は、ＬＥＤ（発光ダイオード）や蛍光管で構成する。
【００２０】
さらに、液晶表示装置１は、インディケータ１０で構成された表示手段を備え、表示制御手段５から通知される通知情報によって調光手段６（インバータ）が調光中であることを表示する。
【００２１】
また、表示制御手段５は、外部入力手段（リモコン１１等）により設定される制限情報に基づいてＣＰＵブロック１８の指示により調光制御信号の出力を制限することもできるように構成されている。
【００２２】
次に、液晶表示装置１の光過敏性発作の誘起の防止動作について説明する。
【００２３】
ここで、光過敏性発作を誘起させる虞のあるアニメ番組等の製作ガイドラインについて説明する。このガイドラインに沿ってアニメ等の製作、放送をすることにより、番組から生ずる光過敏性発作のリスクは、回避されるとしている。
【００２４】
１）：光の点滅
1／3秒＝３Ｈｚ（フィルムでは8コマ、テレビフレームでは10フレーム）以内で、1回を超える光の点滅の使用は避ける。
【００２５】
２）：早い変化の映像
急激なカットチェンジや急速に変化する映像で、１／3秒（＝３Ｈｚ）に1回を超える使用は避ける。
【００２６】
３）：赤色単色の点滅、カットチェンジ
赤色を単色で使用した点滅やカットチェンジの使用は避ける。
【００２７】
４）：輝度差のある規則的なパターン
輝度差のある規則的なパターン（縞模様・渦巻き等）の使用は避ける。
【００２８】
アニメ番組等の制作者側が光過敏性発作を誘起させる虞のある画像信号の存在をチェックして予め、テレビ放送の番組情報やＤＶＤのコンテンツ情報の中に光過敏性存在情報を盛込んだり、映像信号のフレーム毎に光過敏性存在情報を付加する等がなされる。
【００２９】
図２はこの発明に係る映像信号のフレーム毎に光過敏性存在情報を付加する方法における光過敏性存在情報のフレーム付加位置を表す図である。図２において、水平同期信号（ＨＳＹＮＣ）、垂直同期信号（ＶＳＹＮＣ）、コンポジット同期信号（ＣＳＹＮＣ）と、フレーム信号の垂直同期ブランキング期間への光過敏性存在情報の挿入位置を表す。
【００３０】
ブランキング期間には、クローズドキャプション信号やVHSコピーガード信号などが混在するので、これらの信号を避けた位置に光過敏性存在情報を挿入する。
【００３１】
光過敏性存在情報は、フレーム信号の垂直同期ブランキング期間に付加するので、液晶パネル９に表示される画像信号に影響を与えることなく、アニメ番組等を作成することができる。
【００３２】
また、光過敏性存在情報を挿入する垂直同期ブランキング期間は、光過敏性発作を誘起させるシーン（画像）のフレーム信号よりも時間的に前とする。
【００３３】
アニメ番組のフレームが進行し、検出手段４が光過敏性存在情報を検出すると、ＣＰＵブロック１８の指示により表示制御手段５が調光手段６に調光制御信号を供給し、調光手段６がバックライトユニット８の調光を制御してバックライトユニット８の輝度を低下させる。
【００３４】
光過敏性発作を誘起させる虞のあるフレーム（画像信号）が液晶パネル９に表示される時点には、バックライトユニット８の輝度が既に低下しているので、アニメ番組を見ている対象者への光過敏性発作の影響を未然に防止することができる。
【００３５】
図３はこの発明に係る光過敏性存在情報、光過敏性発作を誘起するシーン（画像信号）とバックライトユニット輝度のイメージ関係図である。図３において、＜パターン１＞は、アニメ番組の最初から終了までバックライトユニット輝度を低下させるケースであり、＜パターン２＞は、アニメ番組内に複数ある光過敏性発作を誘起させる虞のあるフレーム（画像信号）毎にバックライトユニット輝度を低下させるケースである。
【００３６】
＜パターン１＞および＜パターン２＞において、バックライトユニット輝度を１００％からα％（αは任意の設定値）まで低下させる場合には光過敏性存在情報ＪDを採用し、バックライトユニット輝度をα％から１００％まで戻す場合には停止情報ＪＰを採用する。
【００３７】
また、＜パターン２＞では、バックライトユニット輝度が低下（α％）してから光過敏性発作を誘起するシーンＳLが発生するまで時間Ｔａが経過し、光過敏性存在情報ＪDから停止情報ＪPまでの時間Ｔｂまでの間に光過敏性発作を誘起するシーンＳLが終了するように設定する。なお、＜パターン１＞および＜パターン２＞の変形例として、シーンＳLの発生頻度や発生時間の間隔を検出して、バックライトユニット輝度レベルを変えたり、光過敏性存在情報ＪＤの累積数（シーンＳLの累積数）により除々にバックライトユニット輝度レベルを下げていくことも可能である。
【００３８】
バックライトユニット８のバックライト輝度が低下（調光中）している際には、光過敏性発作を誘起する虞のあるシーン（画像）の影響が回避されていることを、視聴者はインディケータ１０（表示器）の表示から認識することができる。
【００３９】
また、バックライトユニット８のバックライト輝度の低下を、光過敏性存在情報を検出することで行っているが、リモコン１１（外部入力手段）により設定される制限情報に基づいて、表示制御手段５から供給される調光制御信号の出力を制限してもよい。
【００４０】
リモコン１１により設定される制限情報は、テレビ放送の番組名（ジャンル別）やＤＶＤやＶＴＲのソフト名に対応した情報とする。
【００４１】
また、リモコン１１により設定される制限情報は、視聴者の年令に対応した情報とする。
【００４２】
光過敏性発作の影響を受ける対象者は、比較的年令の低い人であり、全ての視聴者が対象になる訳ではなく、影響のない対象者にとっては、液晶パネル９の画像がストーリ全体に亘って暗くなることは適切ではない。
【００４３】
従って、シーンが存在し、影響を受ける年令（例えば、５歳以下）が該当年令と一致した場合にのみ、＜パターン１＞や＜パターン２＞の制御を実行してバックライト輝度を低下させ、一方、影響を受けない年令に対しては、光過敏性存在情報を検出してもバックライト輝度を低下させないようにすることもできる。
【００４４】
テレビ放送の番組名（ジャンル別）やＤＶＤやＶＴＲのソフト名についても同様で、光過敏性存在情報で検出されたシーンが存在し、番組名（ジャンル別）やＤＶＤやＶＴＲのソフト名が該当情報と一致した場合にのみ、＜パターン１＞や＜パターン２＞の制御を実行してバックライト輝度を低下させる。
【００４５】
なお、制限情報としての年令、番組名（ジャンル別）やＤＶＤやＶＴＲのソフト名は、例えばリモコン１１のメニューボタンにて液晶表示装置１に制限情報設定画面を表示させ、リモコン１１のボタン操作にて年令や番組名（ジャンル別）やＤＶＤやＶＴＲのソフト名を設定する。設定された制限情報はＣＰＵブロック１８に記憶される。ＣＰＵブロック１８は、テレビ放送の番組情報やＤＶＤのコンテンツ情報から年令制限情報や番組名（ジャンル別）やＤＶＤやＶＴＲのソフト名を抽出し、ＣＰＵブロック１８に記憶された制限情報との一致又は不一致を判定して一致した場合には表示制御手段５を制御して、バックライト輝度の制御を実行する。なお、リモコン１１に、制限を掛ける／掛けないに対応するオン／オフボタンを設け、例えば視聴の最中で設定／解除を行っても良い。
【００４６】
以上説明したように、この発明に係る液晶表示装置１は、テレビ放送信号、DVD／VTRソフトの画像信号に、光過敏性発作を誘起させるシーン（画像）の光過敏性存在情報を予め付加しておき、検出手段４が光過敏性存在情報を検出し、表示制御手段５が調光制御信号を出力して、調光手段６がバックライトユニット８の調光を制御するので、液晶パネル９に光過敏性発作を誘起させるシーン（画像）が表示された時点で、既にバックライトユニット８の輝度を低下させることができ、光過敏性発作を誘起させるシーン（画像）をなんら変更することなく、視聴者への光過敏性発作の影響を未然に防止することができる。なお、映像信号のフレーム毎に光過敏性存在情報を付加する方法に関して詳細説明したが、テレビ放送の番組情報やＤＶＤのコンテンツ情報等の付加情報の中に光過敏性存在情報を付加する方法においても、検出手段４にて付加情報中の光過敏性存在情報を検出し、例えば、光過敏性シーンが有るフレーム情報が有る場合は、以降上記同様の処理を行い、バックライト制御を行ったり、例えば、光過敏性発作を誘起させるシーンが多いか少ないかによってレベル分けをした信号を付加するようにすることで、ＣＰＵブロック１８はそのレベルを検出して表示制御手段５を制御することで、レベルに合ったバックライト輝度の制御を実行することが可能になる。
【００４７】
続いて、第２実施の形態について説明する。図４はこの発明に係る液晶表示装置の第２実施の形態要部ブロック構成図である。
【００４８】
図４において、液晶表示装置１３は、情報入力手段２、検出手段４、表示制御手段５、調光手段６、パネル制御手段７、バックライトユニット８、液晶パネル９及びインディケータ１０、ＣＰＵブロック１８を備えている。また、ＣＰＵブロック１８には外部入力手段（リモコン１１）から入力情報が供給される。
【００４９】
第１実施の形態の液晶表示装置１では、アニメ番組等の光過敏性発作を誘起させる虞のある画像信号の存在をチェックして予め光過敏性存在情報を付加してあるのに対し、第２実施の形態の液晶表示装置１３では、アニメ番組等の画像信号から直接的に光過敏性発作を誘起させる虞を検出する点が異なる。
【００５０】
また、第２実施形態の液晶表示装置１３では、画像処理手段１４に、記憶手段１５および遅延手段１６を含んでいる点が異なる。
【００５１】
上記の異なる点を除いて、液晶表示装置１３と液晶表示装置１は同じ構成なので、同一部分の説明を省略し、画像処理手段１４について主に説明する。
【００５２】
画像処理手段１４は、情報入力手段２からテレビ信号や外部機器１２からのＤＶＤ／ＶＴＲソフトの画像信号が供給されると、記憶手段１５はこれらの画像信号を一時記憶し、記憶した画像信号を検出手段４および遅延手段１６に供給する。
【００５３】
遅延手段１６は、記憶手段１５から供給される画像信号に対し、所定時間（例えば、５秒）だけ遅延し、遅延した画像信号をパネル制御手段７に供給する。この時点で画像信号にはなんら変更や修正が加えられず、元の画像信号のままである。
【００５４】
検出手段４に供給される画像信号はパネル制御手段７に供給される画像信号に対し上記所定時間（例えば、５秒間）進んでおり、検出手段４は、記憶手段１５から供給される一時記憶された画像信号の中から、遅延手段１６で設定されたこの所定時間内に、光過敏性発作を誘起させるシーン（画像）の前述した要因信号を検出し、検出信号としてＣＰＵブロック１８に供給する。
【００５５】
ここで、検出信号について説明する。検出信号は、光過敏性発作を誘起させるシーン（画像）の要因となる要因信号とする。要因信号は、前述したガイドラインの内容に準拠し、所定周波数を超える光の点滅のシーン（画像）、所定周波数を超える急激なカットチェンジや急速に変化するシーン（画像）、赤色を単色で使用した点滅やカットチェンジのシーン（画像）又は輝度差のある規則的なパターン（縞模様・渦巻き等）のシーン（画像）等の現象の信号とする。
【００５６】
検出手段４は、検出信号を検出した時間も認識して、時間情報もＣＰＵブロック１８に供給する。
【００５７】
ＣＰＵブロック１８は、一時記憶された画像信号の光過敏性発作を誘起させる虞のある要因信号の位置（時間）を認識するので、表示制御手段５に対し、所定時間（例えば、５秒）遅延された画像信号のどのタイミングで検出信号を調光手段６に供給するかを制御する。
【００５８】
また、ＣＰＵブロック１８は、遅延された画像信号が液晶パネル９に表示される以前に、画像信号の光過敏性発作を誘起する虞のあるシーン（画像）を捕らえているので、このシーン（画像）より時間的に前に、検出信号を調光手段６に供給してバックライトユニット８のバックライト輝度を低下させる。
【００５９】
図５はこの発明に係る検出信号、光過敏性発作を誘起するシーン（画像）とバックライトユニット輝度のイメージ関係図である。図５において、アニメ番組（出力画像信号）ＳＧ２は、アニメ番組（入力画像信号）ＳＧ１よりも遅延時間ＴＤ（例えば、５秒）だけ遅れている。＜パターン３＞は、遅延したアニメ番組の最初から終了までバックライトユニット輝度を低下させるケースであり、＜パターン４＞は、遅延したアニメ番組内に複数ある光過敏性発作を誘起させる虞のあるフレーム（画像信号）毎にバックライトユニット輝度を低下させるケースである。
【００６０】
＜パターン３＞および＜パターン４＞において、バックライトユニット輝度を１００％からα％（αは任意の設定値）まで低下させる場合には検出信号ＳＤを採用し、バックライトユニット輝度をα％から１００％まで戻す場合には停止信号ＳＰを採用する。ただし、検出信号ＳＤおよび停止信号ＳＰは、画像信号に挿入するのではなく、画像信号（出力画像信号ＳＧ２）のタイミングで検出手段４から出力されることを意味する。
【００６１】
また、＜パターン４＞では、バックライトユニット輝度が低下（α％）してから光過敏性発作を誘起するシーンＳＬが発生するまで時間Ｔａが経過し、検出信号ＳＤから停止信号ＳＰまでの時間Ｔｂの間に光過敏性発作を誘起するシーンＳＬが終了するように設定する。
【００６２】
なお、説明を省略したが、バックライトユニット８のバックライト輝度の低下を、リモコン１１（外部入力手段）から入力される入力情報に基づいて制御することや、バックライトユニット８のバックライト輝度が低下（調光中）していることをインディケータ１０で表示して通知することも第１実施の形態と同様である。
【００６３】
また、本実施の形態では、液晶パネル９に表示される画像は、元の画像（信号）よりも所定時間だけ遅延することになるが、実使用上の問題はない。
【００６４】
以上説明したように、この実施の形態に係る液晶表示装置１３は、記憶手段１５がテレビ放送信号、DVD／VTRソフトの画像信号を一時記憶し、記憶手段１５から検出手段１７に供給される画像信号に対し所定時間（例えば、５秒）だけ遅延し、検出手段４が一時記憶した画像信号から上記所定時間内に、光過敏性発作を誘起させるシーン（画像）を検出し、ＣＰＵブロック１８の指示により表示制御手段５が調光制御信号を出力して、調光手段６がバックライトユニット８の調光を制御するので、所定時間の遅れはあるが、液晶パネル９に光過敏性発作を誘起させるシーン（画像）が表示された時点で、既にバックライトユニット８の輝度を低下させることができ、光過敏性発作を誘起させるシーン（画像）をなんら変更することなく、視聴者への光過敏性発作の影響を未然に防止することができる。
【００６５】
なお、本発明は、上記実施の形態に限定されることなく、発明の要旨を逸脱しない範囲で変更して実施することができる。また、本実施の形態では、液晶表示装置について述べたが、バックライトを備えるあらゆる映像表示装置を対象とする。
【産業上の利用可能性】
【００６６】
本発明は、光過敏性発作を誘起させる虞のあるシーン（画像）をバックライトの輝度低下で防止するもので、あらゆる装置に適用することができる。
【図面の簡単な説明】
【００６７】
【図１】この発明に係る液晶表示装置の第１実施の形態要部ブロック構成図である。
【図２】この発明に係る映像信号のフレーム毎に光過敏性存在情報を付加する方法における光過敏性存在情報のフレーム付加位置を表す図である。
【図３】この発明に係る光過敏性存在情報、光過敏性発作を誘起するシーンとバックライトユニット輝度のイメージ関係図である。
【図４】この発明に係る液晶表示装置の第２実施の形態要部ブロック構成図である。
【図５】この発明に係る検出信号、光過敏性発作を誘起するシーンとバックライトユニット輝度のイメージ関係図である。
【符号の説明】
【００６８】
１、１３…液晶表示装置
２…情報入力手段
３、１４    画像処理手段
４…検出手段
５…表示制御手段
６…調光手段
７…パネル制御手段
８…バックライトユニット
９…液晶パネル
１０…インディケータ
１１…リモコン
１２…外部機器
１５…記憶手段
１６…遅延手段
１８…ＣＰＵブロック
ＳＧ、ＳＧ１、ＳＧ２…画像信号
ＪＤ…光過敏性存在情報
ＪＰ…停止情報
ＳＤ…検出信号
ＳＬ…光過敏性発作を誘起させるシーン
ＳＰ…停止信号
ＴＤ…遅延時間
【図１】
2008301150.tif 000003
【図２】
2008301150.tif 000004
【図３】
2008301150.tif 000005
【図４】
2008301150.tif 000006
【図５】
2008301150.tif 000007